(57)【要約】【課題】床スラブを設けた状態で下柱と上柱との接合を行うことができる柱部材の接合構造を提供する。【解決手段】木質の下柱と、前記下柱の上部に固定される下柱固定部、前記下柱固定部上に設けられ床スラブと一体となる床固定部、及び前記床固定部上に設けられ前記床スラブの上面から突出する上柱固定部を備える接合部材と、前記上柱固定部に下部が固定される木質の上柱と、を有する柱部材の接合構造。【選択図】図１
2014114671.tif 000002
【特許請求の範囲】
【請求項１】
木質の下柱と、
前記下柱の上部に固定される下柱固定部、前記下柱固定部上に設けられ床スラブと一体となる床固定部、及び前記床固定部上に設けられ前記床スラブの上面から突出する上柱固定部を備える接合部材と、
前記上柱固定部に下部が固定される木質の上柱と、
を有する柱部材の接合構造。
【請求項２】
前記下柱固定部は、前記下柱の上面に形成された第１挿入溝に挿入される第１板部材を有して構成され、
前記上柱固定部は、前記上柱の下面に形成された第２挿入溝に挿入される第２板部材を有して構成され、
前記床固定部は、前記床スラブに埋設される第３板部材を有して構成されている請求項１に記載の柱部材の接合構造。
【請求項３】
前記下柱固定部は、前記下柱の上面に形成された第１挿入溝に挿入される第１板部材を有して構成され、
前記上柱固定部は、前記上柱の下面に形成された第２挿入溝に挿入される第２板部材を有して構成され、
前記床固定部は、前記床スラブに埋設されるブロック部材を有して構成されている請求項１に記載の柱部材の接合構造。
【発明の詳細な説明】
【技術分野】
【０００１】
本発明は、下柱と上柱とを接合する柱部材の接合構造に関する。
【背景技術】
【０００２】
近年、木質の下柱と上柱とを接合する接合構造が提案されている。例えば、特許文献１には、柱／柱連結金物を用いて下柱と上柱とを接合する接合構造が開示されている。
【０００３】
このような接合構造においては、床スラブが無い状態で下柱と上柱との接合作業を行わなければならないため、作業効率が悪くなることが懸念される。
【先行技術文献】
【特許文献】
【０００４】
【特許文献１】特開平６−２１２６９９号公報
【発明の概要】
【発明が解決しようとする課題】
【０００５】
本発明は係る事実を考慮し、床スラブを設けた状態で下柱と上柱との接合を行うことができる柱部材の接合構造を提供することを課題とする。
【課題を解決するための手段】
【０００６】
請求項１に記載の発明は、木質の下柱と、前記下柱の上部に固定される下柱固定部、前記下柱固定部上に設けられ床スラブと一体となる床固定部、及び前記床固定部上に設けられ前記床スラブの上面から突出する上柱固定部を備える接合部材と、前記上柱固定部に下部が固定される木質の上柱と、を有する柱部材の接合構造である。
【０００７】
請求項１に記載の発明では、接合部材が下柱固定部と上柱固定部とを備えている。そして、下柱固定部を下柱の上部に固定した後に床スラブを設け、この床スラブの上面から突出する上柱固定部に上柱部材の下部を固定することにより、下柱と上柱とが接合される。よって、床スラブを設けた後に、下柱と上柱との接合を行うことができ、床スラブを設けた状態で下柱と上柱との接合作業を効率よく行うことができる。
【０００８】
請求項２に記載の発明は、請求項１に記載の柱部材の接合構造において、前記下柱固定部は、前記下柱の上面に形成された第１挿入溝に挿入される第１板部材を有して構成され、前記上柱固定部は、前記上柱の下面に形成された第２挿入溝に挿入される第２板部材を有して構成され、前記床固定部は、前記床スラブに埋設される第３板部材を有して構成されている。
【０００９】
請求項２に記載の発明では、接合部材を板状部材によって容易に形成することができる。
【００１０】
請求項３に記載の発明は、請求項１に記載の柱部材の接合構造において、前記下柱固定部は、前記下柱の上面に形成された第１挿入溝に挿入される第１板部材を有して構成され、前記上柱固定部は、前記上柱の下面に形成された第２挿入溝に挿入される第２板部材を有して構成され、前記床固定部は、前記床スラブに埋設されるブロック部材を有して構成されている。
【００１１】
請求項３に記載の発明では、床固定部に上柱固定部を確実に固定する（ブロック部材の上面に第２板部材を真っ直ぐ立てる）ことができる。
【発明の効果】
【００１２】
本発明は上記構成としたので、床スラブを設けた状態で下柱と上柱との接合を行うことができる。
【図面の簡単な説明】
【００１３】
【図１】本発明の第１実施形態に係る柱部材の接合構造を示す正面断面図である。
【図２】図１のＡ−Ａ断面図である。
【図３】図１のＢ−Ｂ断面図である。
【図４】本発明の第１実施形態に係る柱接合部材を示す斜視図である。
【図５】図１のＣ−Ｃ断面図である。
【図６】本発明の第１実施形態に係る柱部材の接合構造の施工方法の一例を示す手順図である。
【図７】本発明の第２実施形態に係る柱部材の接合構造を示す正面断面図である。
【図８】本発明の第２実施形態に係る柱接合部材を示す斜視図である。
【図９】本発明の第２実施形態に係る柱部材の接合構造の施工方法の一例を示す手順図である。
【図１０】本発明の第２実施形態に係る床固定部のバリエーションを示す斜視図である。
【発明を実施するための形態】
【００１４】
図を参照しながら、本発明の実施形態を説明する。まず、本発明の第１実施形態に係る柱部材の接合構造について説明する。
【００１５】
図１の正面断面図に示すように、本発明の第１実施形態に係る柱部材の接合構造１０は、木質の下柱１２、接合部材としての柱接合部材１４、及び木質の上柱１６を有して構成されている。
【００１６】
図１、及び図１のＡ−Ａ断面図である図２に示すように、下柱１２は、荷重を支持する木製の柱心材１８と、柱心材１８の外周を取り囲む燃え止まり層２０と、燃え止まり層２０の外周を取り囲む木製の燃え代層２２とを備え、図１、及び図１のＢ−Ｂ断面図である図３に示すように、柱１６は、荷重を支持する木製の柱心材２４と、柱心材２４の外周を取り囲む燃え止まり層２６と、燃え止まり層２６の外周を取り囲む木製の燃え代層２８とを備えている。
【００１７】
図１に示すように、下柱１２の上には、鉄筋コンクリート製の床スラブ３０を介して上柱１６が設けられている。すなわち、下柱１２に支持されて下柱１２の上に床スラブ３０が設けられ、床スラブ３０に支持されて床スラブ３０の上に上柱１６が設けられている。
【００１８】
図１及び図２に示すように、下柱１２には２つの梁３２が接合されている。梁３２は、下柱１２に対して左右対称となるように、一直線状に配置されている。梁３２は、荷重を支持する木製の梁心材３４と、梁心材３４の側面及び下面を取り囲む燃え止まり層３６と、燃え止まり層３６の側面及び下面を取り囲む木製の燃え代層３８とを備えている。また、梁心材３４の端面には、燃え止まり層３６と同じ構成の燃え止まり層４０が形成されている。
【００１９】
図２に示すように、下柱１２の柱心材１８上面には、平面視にて略十字状の溝４２が第１挿入溝として形成されている。また、図３に示すように、上柱１６の柱心材２４下面には、平面視にて略十字状の溝４４が第２挿入溝として形成されている。
【００２０】
図１に示すように、下柱１２と上柱１６とは、柱接合部材１４によって接合されている。図４の斜視図に示すように、柱接合部材１４は、下柱固定部４６と、下柱固定部４６の上に設けられた床固定部４８と、床固定部４８の上に設けられた上柱固定部５０とを備えている。
【００２１】
下柱固定部４６は、鋼板により形成された第１板部材としての接合プレート５２を平面視にて略十字状に４つ配置し、下柱固定部４６の材軸の位置でこれらの接合プレート５２の一方の側端部同士を溶接等により接合して一体化した部材である。接合プレート５２は、平面形状が矩形になっている。なお、下柱固定部４６は、鋼板により形成された幾つの接合プレートによって形成してもよいし、接合プレートを平面視にて略十字状以外に配置してもよい。例えば、１つの接合プレートのみを平面視にて一字状に配置してもよいし、接合プレートを平面視にて平行又は井桁状に配置してもよい。
【００２２】
下柱固定部４６の上には、鋼板により形成された水平プレート５４が設けられている。水平プレート５４は、平面形状が正方形になっている。接合プレート５２の上端部は、溶接等により水平プレート５４の下面に接合され、これにより、下柱固定部４６と水平プレート５４とは一体化されている。なお、水平プレート５４の平面形状は、長方形や円形等の他の形状であってもよい。
【００２３】
接合プレート５２には、梁接合部材５６を下柱１２に固定するボルト５８を通す貫通孔６０と、下柱１２の柱心材１８に接合プレート５２を接合するドリフトピン６２を通す貫通孔６４とが略水平に形成されている。
【００２４】
図１及び図２に示すように、下柱固定部４６は、接合プレート５２を溝４２に挿入し、下柱１２の柱心材１８上面に水平プレート５４を載置した状態で、接着剤等により接合プレート５２を溝４２に固定し、さらに、下柱１２の柱心材１８上部に略水平に形成された貫通孔６６と、接合プレート５２に形成された貫通孔６４とにドリフトピン６２を挿入することによって、下柱１２（柱心材１８）の上部に固定される。なお、施工時作業に支障がなければ、溝４２への接合プレート５２の固定に接着剤等を用いなくてもよい。
【００２５】
図４に示すように、上柱固定部５０は、鋼板により形成された第２板部材としての接合プレート６８を平面視にて略十字状に４つ配置し、上柱固定部５０の材軸の位置でこれらの接合プレート６８の一方の側端部同士を溶接等により接合して一体化した部材である。接合プレート６８は、平面形状が矩形になっている。なお、上柱固定部５０は、鋼板により形成された幾つの接合プレートによって形成してもよいし、接合プレートを平面視にて略十字状以外に配置してもよい。例えば、１つの接合プレートのみを平面視にて一字状に配置してもよいし、接合プレートを平面視にて平行又は井桁状に配置してもよい。
【００２６】
上柱固定部５０は、鋼板により形成された水平プレート７０の上に設けられている。水平プレート７０は、平面形状が正方形になっている。接合プレート６８の下端部は、溶接等により水平プレート７０の上面に接合されて、上柱固定部５０と水平プレート７０とは一体化されている。なお、水平プレート７０の平面形状は、長方形や円形等の他の形状であってもよい。
【００２７】
接合プレート６８には、上柱１６の柱心材２４に接合プレート６８を接合するドリフトピン６２を通す貫通孔７２が略水平に形成されている。
【００２８】
図１及び図３に示すように、上柱固定部５０は、柱接合部材１４を下柱１２の上部に固定した状態で、床スラブ３０の上面から突出するように配置される。そして、上柱固定部５０は、接合プレート６８を溝４４に挿入し、水平プレート７０の上面に上柱１６の柱心材２４を載置した状態で、接着剤等により接合プレート６８を溝４４に固定し、さらに、上柱１６の柱心材２４に略水平に形成された貫通孔７４と、接合プレート６８に形成された貫通孔７２とにドリフトピン６２を挿入することによって、上柱１６（柱心材２４）の下部が固定される。なお、施工時作業に支障がなければ、溝４４への接合プレート６８の固定に接着剤等を用いなくてもよい。
【００２９】
図４に示すように、床固定部４８は、鋼板により形成された第３板部材としての埋設プレート７６を平面視にて略十字状に４つ配置し、床固定部４８の材軸の位置でこれらの埋設プレート７６の一方の側端部同士を溶接等により接合して一体化した部材である。埋設プレート７６は、平面形状が矩形になっている。なお、床固定部４８は、鋼板により形成された幾つの埋設プレートによって形成してもよいし、埋設プレートを平面視にて略十字状以外に配置してもよい。例えば、１つの埋設プレートのみを平面視にて一字状に配置してもよいし、埋設プレートを平面視にて平行又は井桁状に配置してもよい。
【００３０】
床固定部４８は、水平プレート５４と水平プレート７０との間に設けられており、水平プレート５４の上面に埋設プレート７６の下端部が溶接等により接合され、水平プレート７０の下面に埋設プレート７６の上端部が溶接等により接合されて、床固定部４８と水平プレート５４、７０とは一体化されている。
【００３１】
図１、図４、及び図１のＣ−Ｃ断面図である図５に示すように、埋設プレート７６には、床スラブ３０に埋設される下端鉄筋７８や上端鉄筋８０を通す貫通孔８２が略水平に形成されている。
【００３２】
図１及び図５に示すように、床固定部４８は、埋設プレート７６の貫通孔８２へ下端鉄筋７８及び上端鉄筋８０を挿入した状態で、床スラブ３０を形成するコンクリートＳを床固定部４８の周りに打設し、このコンクリートＳを硬化させることによって、床スラブ３０（コンクリートＳ、下端鉄筋７８、及び上端鉄筋８０）と一体となるように埋設されて固定される。
【００３３】
下柱固定部４６の接合プレート５２、床固定部４８の埋設プレート７６、及び上柱固定部５０の接合プレート６８は、平面視にて略一致するように配置されている。また、水平プレート５４と水平プレート７０とは、平面形状が同じであり、平面視にて略一致するように配置されている。
【００３４】
図１及び図２に示すように、梁３２は、梁接合部材５６によって下柱１２に接合されている。図４に示すように、梁接合部材５６は、フランジ８４とガセットプレート８６とを平面視にてＴ字状に一体化した鋼製の部材である。
【００３５】
梁接合部材５６は、下柱１２の柱心材１８側面にフランジ８４を配置し、フランジ８４に略水平に形成された貫通孔８８と、下柱１２の柱心材１８に略水平に形成された貫通孔９０とにボルト５８を挿入し、このボルト５８の両端部にナット９２をねじ込み締め付けることによって、下柱１２に取り付けられている。
【００３６】
図１に示すように、下柱１２の燃え止まり層２０と燃え代層２２とには、梁接合部材５６を収容するための切欠き部９４が形成されており、この切欠き部９４の側面及び下面には、燃え止まり層２０と同じ構成の燃え止まり層９６が形成されている。さらに、下柱１２の柱心材１８に梁接合部材５６を取り付けた後に切欠き部９４に残る空間には、ロックウール等の断熱材Ｗが充填されている。
【００３７】
図１及び図２に示すように、梁３２は、梁３２の梁心材３４端部に鉛直に形成されたスリット９８へガセットプレート８６を挿入するようにして、下柱１２と接合される位置に梁３２を配置した状態で、接着剤等によりガセットプレート８６をスリット９８に固定し、さらに、梁３２の梁心材３４を横断するようにして梁心材３４に略水平に形成された貫通孔１００と、ガセットプレート８６に略水平に形成された貫通孔１０２とにドリフトピン６２を挿入しピン接合することによって、梁接合部材５６に接合されている。梁３２は、梁３２の端面と下柱１２の側面との間に隙間を有するようにして配置され、この隙間に耐火シール、モルタル、ロックウールなどの耐火性部材Ｍが充填されている。なお、施工時作業に支障がなければ、スリット９８へのガセットプレート８６の固定に接着剤等を用いなくてもよい。
【００３８】
図１及び図２に示すように、下柱固定部材４６は、下柱１２の柱心材１８に埋設されることにより、耐火性を有する燃え止まり層２０及び燃え代層２２と、断熱材Ｗとによって取り囲まれ、床固定部４８及び水平プレート５４、７０は、床スラブ３０を形成し耐火性を有するコンクリートＳによって取り囲まれ、上柱固定部５０は、上柱１６の柱心材２４に埋設されることにより、耐火性を有する燃え止まり層２６及び燃え代層２８によって取り囲まれている。
【００３９】
さらに、図１及び図２に示すように、耐火性を有する、下柱１２の燃え止まり層２０、燃え代層２２、梁３２の燃え止まり層３６、燃え代層３８、床スラブ３０を形成するコンクリートＳ、断熱材Ｗ、及び燃え止まり層４０、９６によって、梁接合部材５６は取り囲まれている。
【００４０】
下柱１２、上柱１６、梁３２、柱接合部材１４、及び梁接合部材５６は、工場等で製作された部材となっている。
【００４１】
次に、図６（ａ）〜（ｆ）の正面断面図により、柱部材の接合構造１０の施工方法の一例について説明する。まず、図６（ａ）に示すように、下柱１２の柱心材１８側面に梁接合部材５６を配置する。
【００４２】
次に、下柱１２の柱心材１８に設けられた溝４２に接合プレート５２を挿入させながら柱接合部材１４を下降させ、柱心材１８の上面に水平プレート５４を載置するようにして、下柱１２の上部に柱接合部材１４を設置する。
【００４３】
次に、図６（ｂ）に示すように、接着剤等により接合プレート５２を溝４２に固定し、さらに、柱心材１８に形成された貫通孔６６と、接合プレート５２に形成された貫通孔６４とにドリフトピン６２を挿入することによって、柱接合部材１４の下柱固定部４６を、下柱１２（柱心材１８）の上部に固定する。
【００４４】
次に、フランジ８４に形成された貫通孔８８と、柱心材１８に形成された貫通孔９０とにボルト５８を挿入し、このボルト５８の両端部にナット９２をねじ込み締め付けることによって、下柱１２に梁接合部材５６を取り付ける。
【００４５】
次に、図６（ｃ）に示すように、切欠き部９４内に断熱材Ｗを充填した後、梁３２の梁心材３４に形成されたスリット９８へガセットプレート８６を挿入するようにして下柱１２の側面に梁３２を配置する。梁３２は、梁３２の端面と下柱１２の側面との間に隙間を有するようにして配置する。
【００４６】
次に、図６（ｄ）に示すように、接着剤等によりガセットプレート８６をスリット９８に固定し、さらに、梁３２の梁心材３４に形成された貫通孔１００と、ガセットプレート８６に形成された貫通孔１０２とにドリフトピン６２を挿入しピン接合することによって、梁接合部材５６に梁３２を接合する。そして、梁３２の端面と下柱１２の側面との間の隙間に耐火性部材Ｍを充填する。
【００４７】
次に、図６（ｅ）に示すように、梁３２及び下柱１２の上にコンクリートＳを打設して床スラブ３０を設ける。
【００４８】
次に、図６（ｆ）に示すように、床スラブ３０の上面から突出する接合プレート６８を上柱１６の柱心材２４に設けられた溝４４に挿入させながら上柱１６を下降させ、水平プレート７０の上面に上柱１６の柱心材２４を載置するようにして、床スラブ３０の上に上柱１６を配置する。
【００４９】
次に、接着剤等により接合プレート６８を溝４４に固定し、さらに、上柱１６の柱心材２４に形成された貫通孔７４と、接合プレート６８に形成された貫通孔７２とにドリフトピン６２を挿入することによって、上柱１６（柱心材２４）の下部を柱接合部材１４の上柱固定部５０に固定する。これによって、下柱１２に上柱１６が接合される。
【００５０】
次に、本発明の第１実施形態に係る柱部材の接合構造の作用と効果について説明する。
【００５１】
本発明の第１実施形態の柱部材の接合構造１０では、図６（ａ）〜（ｆ）に示すように、柱接合部材１４の下柱固定部４６を下柱１２の上部に固定し、下柱１２に梁３２を接合した後に、梁３２及び下柱１２の上に床スラブ３０を設け、この後、上柱１６の下部を床スラブ３０の上面から突出する柱接合部材１４の上柱固定部５０に固定して下柱１２に上柱１６を接合する。よって、床スラブ３０を設けた後に、下柱１２と上柱１６との接合を行うことができ、床スラブ３０を設けた状態で下柱１２と上柱１６との接合作業を効率よく行うことができる。
【００５２】
また、図１〜３に示すように、柱接合部材１４の接合プレート５２を下柱１２に設けられた溝４２に挿入し、柱接合部材１４の接合プレート６８を上柱１６に設けられた溝４４に挿入して、下柱１２に上柱１６を接合することにより、下柱１２に対して上柱１６が横方向へずれるのを防ぐことができる。
【００５３】
さらに、図４に示すように、下柱固定部４６を、鋼板により形成された４つの接合プレート５２によって形成し、床固定部４８を、鋼板により形成された４つの埋設プレート７６によって形成し、上柱固定部５０を、鋼板により形成された４つの接合プレート６８によって形成することによって、柱接合部材１４を、板状部材によって容易に形成することができる。
【００５４】
また、図１に示すように、床スラブ３０を介して下柱１２と上柱１６とを接合する構造とすることにより、取り扱う柱部材を柱長の短い部材（下柱１２及び上柱１６）にすることができる。これにより、柱部材の製作や、トラック等による柱部材の搬送が行い易くなる。また、クレーン等による柱部材の取扱いが容易になるので、これらの柱部材を有して構築される建築物の施工効率を向上させることができる。
【００５５】
さらに、下柱１２、上柱１６、梁３２、柱接合部材１４、及び梁接合部材５６を工場等で製作することにより、これらの部材を高い精度で製作することができる。また、これらの部材の組み立て作業によって建築物を構築できるので、建築物の施工効率を向上させることができる。
【００５６】
また、図１〜３に示すように、下柱１２及び上柱１６において、火災が発生したときに火炎が燃え代層２２、２８に着火し、燃え代層２２、２８が燃焼する。そして、燃焼した燃え代層２２、２８は炭化する。これにより、下柱１２及び上柱１６の外部から柱心材１８、２４への熱伝達と酸素供給とを炭化した燃え代層２２、２８が遮断し、燃え止まり層２０、２６が吸熱するので、火災（加熱）時及び火災（加熱）終了後における柱心材１８、２４の温度上昇を抑制することができる。
【００５７】
さらに、図１及び図２に示すように、梁３２において、火災が発生したときに火炎が燃え代層３８に着火し、燃え代層３８が燃焼する。そして、燃焼した燃え代層３８は炭化する。これにより、梁３２の外部から梁心材３４への熱伝達と酸素供給とを炭化した燃え代層３８が遮断し、燃え止まり層３６が吸熱するので、火災（加熱）時及び火災（加熱）終了後における梁心材３４の温度上昇を抑制することができる。
【００５８】
よって、火災（加熱）時及び火災（加熱）終了後において、所定時間の間、下柱１２の柱心材１８、上柱１６の柱心材２４、及び梁３２の梁心材３４を炭化・燃焼温度未満に抑え、柱心材１８、２４、及び梁心材３４を燃焼させずに燃え止まらせることができる。すなわち、火災時及び火災終了後において、下柱１２、上柱１６、及び梁３２を構造部材として機能させることができる。
【００５９】
また、図１〜３に示すように、柱接合部材１４は、耐火性を有する、燃え止まり層２０、２６、９６、燃え代層２２、２８、断熱材Ｗ、コンクリートＳ（床スラブ３０）によって取り囲まれているので、火災時及び火災終了後における柱接合部材１４の温度上昇を抑制することができ、下柱１２と上柱１６との接合部の耐火性を確保することができる。
【００６０】
さらに、図１及び図２に示すように、梁接合部材５６は、耐火性を有する、燃え止まり層２０、３６、９６、燃え代層２２、３８、コンクリートＳ（床スラブ３０）によって取り囲まれているので、火災時及び火災終了後における梁接合部材５６の温度上昇を抑制することができ、下柱１２と梁３２との接合部の耐火性を確保することができる。
【００６１】
次に、本発明の第２実施形態に係る柱部材の接合構造について説明する。
【００６２】
第２実施形態の説明において、第１実施形態と同じ構成のものは、同符号を付すると共に、適宜省略して説明する。図７の正面断面図に示すように、第２実施形態の柱部材の接合構造１０４は、木質の下柱１２、接合部材としての柱接合部材１０６、及び木質の上柱１６を有して構成されている。
【００６３】
図７に示すように、下柱１２と上柱１６とは、柱接合部材１０６によって接合されている。図８の斜視図に示すように、柱接合部材１０６は、下柱固定部４６と、下柱固定部４６の上に設けられた床固定部１０８と、床固定部１０８の上に設けられた上柱固定部５０とを備えている。
【００６４】
床固定部１０８は、鉄筋コンクリートにより形成された直方体状のブロック部材１１０と、ブロック部材１１０に埋設された袋ナット１１２に端部がねじ込まれて固定されたアンカー部材としてのスタッドボルト１１４とを有して構成されている。なお、ブロック部材１１０と床スラブ３０との一体化を高めて、床スラブ３０の面内せん断力を、ブロック部材１１０を介して下柱１２及び上柱１６に伝達することができれば、スタッドボルト１１４は、アンカー鉄筋等の他のアンカー部材であってもよい。
【００６５】
図７及び図８に示すように、ブロック部材１１０は、水平プレート７０と水平プレート５４とにより上下にブロック部材１１０を挟み込んだ状態で、ブロック部材１１０に略鉛直に形成された貫通孔１１６と、水平プレート７０に略鉛直に形成された貫通孔１１８と、水平プレート５４に略鉛直に形成された貫通孔１２０とにボルト１２２を貫通させ、このボルト１２２の両端部にナット１２４をねじ込み締め付けることによって、水平プレート５４、７０と一体化されている。
【００６６】
図８に示すように、ブロック部材１１０には、床スラブ３０に埋設される下端鉄筋７８や上端鉄筋８０を通す貫通孔１２６が略水平に形成されている。なお、ブロック部材１１０が、下端鉄筋７８や上端鉄筋８０に干渉しない大きさや配置の場合には、貫通孔１２６は無くてもよい。
【００６７】
図７に示すように、床固定部１０８は、ブロック部材１１０の貫通孔１２６へ下端鉄筋７８及び上端鉄筋８０を挿入した状態で、床スラブ３０を形成するコンクリートＳを床固定部１０８の周りに打設し、このコンクリートＳを硬化させることによって、床スラブ３０（コンクリートＳ、下端鉄筋７８、及び上端鉄筋８０）と一体となるように埋設されて固定される。
【００６８】
下柱固定部４６の接合プレート５２、及び上柱固定部５０の接合プレート６８は、平面視にて略一致するように配置されている。また、水平プレート５４、７０と、ブロック部材１１０の上下面とは、平面形状が同じであり、平面視にて略一致するように配置されている。
【００６９】
図７に示すように、第２実施形態の柱部材の接合構造１０４では、下柱１２の柱心材１８上面に形成された凹部１２８に水平プレート５４が収容されるようにして、接合プレート５２を溝４２に挿入し、この凹部１２８の底面上に水平プレート５４を載置した状態で、下柱固定部４６が下柱１２（柱心材１８）の上部に固定される。
【００７０】
さらに、上柱１６の柱心材２４下面に形成された凹部１３０に水平プレート７０が収容されるようにして、接合プレート６８を溝４４に挿入し、水平プレート７０の上面に凹部１３０の天井面を接触させて水平プレート７０の上面に上柱１６の柱心材２４を載置した状態で、上柱１６（柱心材２４）の下部が上柱固定部５０に固定される。
【００７１】
図７に示すように、下柱固定部材４６及び水平プレート５４は、下柱１２の柱心材１８に埋設されることにより、耐火性を有する燃え止まり層２０及び燃え代層２２と、断熱材Ｗとによって取り囲まれ、床固定部１０８は、床スラブ３０を形成するコンクリートＳによって取り囲まれ、上柱固定部５０及び水平プレート７０は、上柱１６の柱心材２４に埋設されることにより、耐火性を有する燃え止まり層２６及び燃え代層２８によって取り囲まれている。また、床固定部１０８を構成するブロック部材１１０は、耐火性を有するコンクリート製の部材である。これによって、火災時及び火災終了後における柱接合部材１０６の温度上昇を抑制することができ、下柱１２と上柱１６との接合部の耐火性が確保される。
【００７２】
また、柱接合部材１０６を構成する下柱固定部４６、床固定部１０８、及び上柱固定部５０は、それぞれが工場等で製作された部材となっている。
【００７３】
次に、図９（ａ）〜（ｆ）の正面断面図により、柱部材の接合構造１０４の施工方法の一例について説明する。まず、図９（ａ）に示すように、下柱１２の柱心材１８側面に梁接合部材５６を配置する。
【００７４】
次に、下柱１２の柱心材１８に設けられた溝４２に接合プレート５２を挿入させながら下柱固定部４６を下降させ、柱心材１８の凹部１２８底面に水平プレート５４を載置するようにして、下柱１２の上に下柱固定部４６を配置する。下柱固定部４６には、下端部にナット１２４を設けたボルト１２２が、水平プレート５４の貫通孔１２０に下方から上方へ貫通させた状態で予め取り付けられている。
【００７５】
次に、スタッドボルト１１４が取り付けられたブロック部材１１０を、貫通孔１１６にボルト１２２を挿入させながら下降させ、水平プレート５４の上面にブロック部材１１０を載置するようにして、下柱固定部４６上に床固定部１０８を配置する。なお、スタッドボルト１１４は、床スラブ３０のコンクリートＳを打設する前であれば、どのタイミングでブロック部材１１０に取り付けてもよい。
【００７６】
次に、図９（ｂ）に示すように、接着剤等により接合プレート５２を溝４２に固定し、さらに、柱心材１８に形成された貫通孔６６と、接合プレート５２に形成された貫通孔６４とにドリフトピン６２を挿入することによって、下柱固定部４６を、下柱１２（柱心材１８）の上部に固定する。
【００７７】
次に、フランジ８４に形成された貫通孔８８と、柱心材１８に形成された貫通孔９０とにボルト５８を挿入し、このボルト５８の両端部にナット９２をねじ込み締め付けることによって、下柱１２に梁接合部材５６を取り付ける。
【００７８】
次に、図９（ｃ）に示すように、切欠き部９４内に断熱材Ｗを充填した後、梁３２の梁心材３４に形成されたスリット９８へガセットプレート８６を挿入するようにして下柱１２の側面に梁３２を配置する。梁３２は、梁３２の端面と下柱１２の側面との間に隙間を有するようにして配置する。
【００７９】
次に、図９（ｄ）に示すように、接着剤等によりガセットプレート８６をスリット９８に固定し、さらに、梁３２の梁心材３４に形成された貫通孔１００と、ガセットプレート８６に形成された貫通孔１０２とにドリフトピン６２を挿入しピン接合することによって、梁接合部材５６に梁３２を接合する。そして、梁３２の端面と下柱１２の側面との間の隙間に耐火性部材Ｍを充填する。
【００８０】
次に、図９（ｅ）に示すように、梁３２及び下柱１２の上にコンクリートＳを打設して床スラブ３０を設ける。
【００８１】
次に、水平プレート７０の貫通孔１１８にボルト１２２を挿入させながら上柱固定部５０を下降させ、ブロック部材１１０の上面に上柱固定部５０を載置する。そして、ボルト１２２の上端部にナット１２４をねじ込み締め付けることによって、下柱固定部４６、床固定部１０８、及び上柱固定部５０を一体化して柱接合部材１０６を構成する。なお、この作業は、コンクリートＳを打設して床スラブ３０を形成する前に行ってもよい。
【００８２】
次に、図９（ｆ）に示すように、上柱１６の柱心材２４下面に形成された凹部１３０に水平プレート７０が収容されるようにして、接合プレート６８を溝４４に挿入させながら上柱１６を下降させ、水平プレート７０の上面に凹部１３０の天井面を接触させて水平プレート７０の上面に上柱１６の柱心材２４を載置することにより、床スラブ３０の上に上柱１６を配置する。
【００８３】
次に、接着剤等により接合プレート６８を溝４４に固定し、さらに、上柱１６の柱心材２４に形成された貫通孔７４と、接合プレート６８に形成された貫通孔７２とにドリフトピン６２を挿入することによって、上柱１６（柱心材２４）の下部を柱接合部材１０６の上柱固定部５０に固定する。これによって、下柱１２に上柱１６が接合される。
【００８４】
次に、本発明の第２実施形態に係る柱部材の接合構造の作用と効果について説明する。
【００８５】
第２実施形態の柱部材の接合構造１０４では、第１実施形態の柱部材の接合構造１０と略同様の効果を得ることができる。また、床固定部１０８は、床スラブ３０に埋設されるブロック部材１１０を有して構成されているので、床固定部１０８に上柱固定部５０を確実に固定する（ブロック部材１１０の上面に接合プレート６８を真っ直ぐ立てる）ことができる。
【００８６】
さらに、ブロック部材１１０に取り付けられたスタッドボルト１１４によって、床スラブ３０の面内せん断力を、ブロック部材１１０を介して効率よく下柱１２及び上柱１６に伝達することができる。
【００８７】
以上、本発明の第１及び第２実施形態について説明した。
【００８８】
なお、第１実施形態では、柱接合部材１４を鋼板によって形成し、第２実施形態では、柱接合部材１０６を鋼板とコンクリートブロックによって形成した例を示したが、下柱１２と上柱１６との間で力の伝達が可能であり、下柱１２に上柱１６を支持させることができるものであれば、プラスチック、モルタル、木材等の他の材料によって形成してもよい。例えば、図１０の斜視図に示すように、筒状の鋼管１３２内にコンクリートを充填した床固定部１３４としてもよい。床固定部１３４では、鋼管１３２の側面にアンカー部材としてのスタッドボルト１１４が溶接等によって固定されており、鋼管１３２内に充填されて硬化したコンクリートにより形成されたコア部１３６に、ボルト１２２が挿入される貫通孔１３８が略鉛直に形成されている。また、鋼管１３２とコア部１３６とには、下端鉄筋７８や上端鉄筋８０が挿入される貫通孔１４０が略水平に形成されている。床固定部１３４では、コンクリートを充填するための側型枠が不要なので、床固定部１３４の製作手間を軽減することができる。
【００８９】
柱接合部材１０６の床固定部１０８を構成するブロック部材１１０や、床固定部１３４を構成するコア部１３６は、耐火性を有するコンクリート部材であるので、下柱１２と上柱１６との接合部の耐火性を確保することができる。
【００９０】
また、第１及び第２実施形態では、図１及び図７に示すように、下柱１２が、柱心材１８、燃え止まり層２０、及び燃え代層２２を備え、上柱１６が、柱心材２４、燃え止まり層２６、及び燃え代層２８を備え、梁３２が、梁心材３４、燃え止まり層３６、及び燃え代層３８を備えている例を示したが、柱心材１８、２４、梁心材３４、及び燃え代層２２、２８、３８は、木材によって形成されていればよい。例えば、柱心材１８、２４、梁心材３４、及び燃え代層２２、２８、３８は、米松、唐松、檜、杉、あすなろ等の一般の木造建築に用いられる木材（以下、「一般木材」とする）によって形成してもよいし、これらの一般木材を板状等の製材に加工し、この製材同士を接着剤により接着して一体化した集成材であってもよい。
【００９１】
さらに、燃え止まり層２０、２６、３６は、火炎及び熱の進入を抑えて燃え止まり効果を発揮できる層であればよい。例えば、燃え止まり層２０、２６、３６は、難燃性を有する層や熱の吸収が可能な層であればよい。
【００９２】
難燃性を有する層としては、木材に難燃薬剤を注入して不燃化処理した難燃薬剤注入層が挙げられる。熱の吸収が可能な層は、熱容量が大きな材料、断熱性が高い材料、又は熱慣性が高い材料によって形成してもよいし、これらの材料と一般木材とを組み合わせて形成してもよい。また、難燃性を有する層と、熱の吸収が可能な層とを組み合わせて（例えば、難燃性を有する層と、熱の吸収が可能な層とを交互に配置して）燃え止まり層２０、２６、３６を形成してもよい。
【００９３】
熱容量が大きな材料としては、モルタル、石材、ガラス、繊維補強セメント、石膏等の無機質材料、各種の金属材料などが挙げられる。断熱性が高い材料としては、けい酸カルシウム板、ロックウール、グラスウールなどが挙げられる。熱慣性が高い材料としては、セランガンバツ、ジャラ、ボンゴシ等の木材が挙げられる。
【００９４】
また、第１及び第２実施形態では、図１及び図７に示すように、下柱１２が、柱心材１８、燃え止まり層２０、及び燃え代層２２を備え、上柱１６が、柱心材２４、燃え止まり層２６、及び燃え代層２８を備え、梁３２が、梁心材３４、燃え止まり層３６、及び燃え代層３８を備えている例を示したが、下柱１２及び上柱１６は、荷重を支持する木製の柱心材と、この柱心材の外周を取り囲む燃え止まり層又は燃え代層とを有していればよく、梁３２は、荷重を支持する木製の梁心材と、この梁心材の外周を取り囲む燃え止まり層又は燃え代層とを有していればよい。
【００９５】
例えば、下柱１２、上柱１６、及び梁３２は、荷重を支持する木製の心材と、この心材の外周を取り囲む燃え止まり層と、この燃え止まり層の外周を取り囲む燃え代層以外の層（例えば、薄い木製の仕上げ材）とによって構成してもよい。また、例えば、下柱１２、上柱１６、及び梁３２は、荷重を支持する木製の心材の周囲を、吹き付けロックウール等の湿式の耐火材や、ロックウールシート、高耐熱ロックウールシート、けい酸カルシウム、石膏ボード等の乾式の耐火材で覆ったものであってもよい。
【００９６】
耐火性を期待しなければ、下柱１２、上柱１６、及び梁３２は、木質の部材であればよい。また、梁３２は、木質以外の部材であってもよい。例えば、梁３２を、鋼製、鉄筋コンクリート製、プレストレストコンクリート製等の部材にしてもよい。
【００９７】
また、第１及び第２実施形態では、ドリフトピン６２によって、柱接合部材１４、１０６と下柱１２、柱接合部材１４、１０６と上柱１６、及び梁接合部材５６と梁３２をピン接合した例を示したが、確実に接合を行うことができれば、構造用ボルト等の他の方法で接合してもよい。
【００９８】
さらに、第１及び第２実施形態では、図１及び図７に示すように、下柱１２に２つの梁３２を接合した例を示したが、下柱１２に接合する梁３２はいくつでもよい。例えば、１つの梁３２のみを下柱１２に接合してもよいし、平面視にて一直線状、Ｌ字状又はＴ字状に配置されるように２つ又は３つの梁３２を下柱１２に接合してもよいし、平面視にて放射状に配置されるように４つの梁３２を下柱１２に接合してもよい。
【００９９】
下柱１２に幾つの梁３２をどのように配置して接合した場合においても、第１及び第２実施形態で示したように、ドリフトピン６２によって、柱接合部材１４、１０６と下柱１２を接合し、ボルト５８によって、梁接合部材５６と下柱１２を接合すればよい。例えば、平面視にてＬ字状、Ｔ字状、又は放射状に配置されるように、２つ、３つ、又は４つの梁３２を下柱１２に接合する場合には、ドリフトピン６２を用いずに、柱接合部材１４、１０６と下柱１２の接合を、梁接合部材５６と下柱１２を接合するボルト５８によって行うようにしてもよい。すなわち、ボルト５８を、柱接合部材１４、１０６と下柱１２の接合と、梁接合部材５６と下柱１２との接合に共用するようにしてもよい。
【０１００】
以上、本発明の第１及び第２実施形態について説明したが、本発明はこうした実施形態に何等限定されるものでなく、第１及び第２実施形態を組み合わせて用いてもよいし、本発明の要旨を逸脱しない範囲において、種々なる態様で実施し得ることは勿論である。
【符号の説明】
【０１０１】
１０、１０４  柱部材の接合構造
１２  下柱
１４、１０６  柱接合部材（接合部材）
１６  上柱
３０  床スラブ
４２  溝（第１挿入溝）
４４  溝（第２挿入溝）
４６  下柱固定部
４８、１０８、１３４  床固定部
５０  上柱固定部
５２  接合プレート（第１板部材）
６８  接合プレート（第２板部材）
７６  埋設プレート（第３板部材）
１１０  ブロック部材
【図１】
2014114671.tif 000003
【図２】
2014114671.tif 000004
【図３】
2014114671.tif 000005
【図４】
2014114671.tif 000006
【図５】
2014114671.tif 000007
【図６】
2014114671.tif 000008
【図７】
2014114671.tif 000009
【図８】
2014114671.tif 000010
【図９】
2014114671.tif 000011
【図１０】
2014114671.tif 000012